【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2008303384.tif 000001
［式（Ｉ）中、ＡおよびＢは同一または異なって、単結合またはヒドロカルビレンを表し、ｎおよびｍは同一または異なって、０〜５の整数を表し、ＸおよびＹは同一または異なって、硫黄原子または単結合を表し、ＷおよびＺは、同一または異なって、水素原子、式（ＩＩ）
【化２】
2008303384.tif 000002
｛式（ＩＩ）中、Ｒ１およびＲ２は同一または異なって、水素原子、置換基を有していてもよいヒドロカルビル、置換基を有していてもよいヒドロカルビルカルボニル、置換基を有していてもよいヒドロカルビルオキシカルボニルを表すか、Ｒ１およびＲ２が隣接する窒素原子と一緒になって置換基を有していてもよい含窒素複素環基を形成する｝を表すか、または式（ＩＩＩ）
【化３】
2008303384.tif 000003
｛式（ＩＩＩ）中、Ｒ３およびＲ４は同一または異なって、水素原子、置換基を有していてもよいヒドロカルビルを表すか、またはＲ３およびＲ４が隣接する炭素原子と一緒になって置換基を有していてもよい環状のヒドロカルビリデンを形成する｝を表す（ただし、ＷおよびＺは、同時に水素原子を表すことはない）］で表されるエステルを含有する油類用添加剤。
【請求項２】
ＸおよびＹのうち、少なくともいずれか一つが硫黄原子を表す請求項１に記載の油類用添加剤。
【請求項３】
ＸおよびＹが硫黄原子を表す、請求項１に記載の油類用添加剤。
【請求項４】
ＸおよびＹが単結合を表す、請求項１に記載の油類用添加剤。
【請求項５】
ｎとｍの和が２〜１０の整数を表す請求項１〜４のいずれかに記載の油類用添加剤。
【請求項６】
ｎとｍの和が４〜８の整数を表す請求項１〜４のいずれかに記載の油類用添加剤。
【請求項７】
ＡおよびＢが同一または異なって単結合、アルキレン、アルケニレン、置換基を有していてもよいシクロアルキレン、または置換基を有していてもよいアリーレンを表す、請求項１〜６のいずれかに記載の油類用添加剤。
【請求項８】
ＡおよびＢが同一であり、アルキレン、または置換基を有していてもよいアリーレンを表す請求項１〜６のいずれかに記載の油類用添加剤。
【請求項９】
ＡおよびＢが同一であり、炭素数１〜２０のアルキレン、または置換基を有していてもよい炭素数６〜２０のアリーレンを表す請求項１〜６のいずれかに記載の油類用添加剤。
【請求項１０】
Ｗおよび／またはＺが式（ＩＩ）を表し、Ｒ１およびＲ２が同一または異なって、水素原子、置換基を有していてもよい炭素数１〜２０のアルキル、置換基を有していてもよい炭素数２〜２０のアルケニル、置換基を有していてもよい炭素数３〜２０のシクロアルキル、置換基を有していてもよい炭素数６〜２０のアリール、置換基を有していてもよい炭素数７〜２０のアラルキル、置換基を有していてもよい炭素数２〜２１のアルカノイル、置換基を有していてもよい炭素数３〜２１のアルケノイル、置換基を有していてもよい炭素数２〜２１のアルコキシカルボニル、または置換基を有していてもよい炭素数４〜２１のシクロアルキルカルボニルを表す請求項１〜９のいずれかに記載の油類用添加剤。
【請求項１１】
Ｗおよび／またはＺが式（ＩＩ）を表し、Ｒ１およびＲ２が同一または異なって、水素原子、炭素数１〜２０のアルキル、または炭素数２〜２１のアルカノイルを表す請求項１〜９のいずれかに記載の油類用添加剤。
【請求項１２】
Ｗおよび／またはＺが式（ＩＩ）を表し、式（ＩＩ）が式（ＩＶ）
【化４】
2008303384.tif 000004
｛式（ＩＶ）中、Ｒ５およびＲ６が同一または異なって、水素原子、置換基を有していてもよい炭素数１〜２０のアルキル、置換基を有していてもよい炭素数２〜２０のアルケニルを表すか、または、Ｒ５およびＲ６がそれぞれ隣接する２つの炭素原子と一緒になって、炭素数１〜２０のアルキル置換基を有していてもよいベンゼン環、または炭素数１〜２０のアルキル置換基を有していてもよいナフタレン環を形成する｝で表される基を表す請求項１〜９のいずれかに記載の油類用添加剤。
【請求項１３】
式（ＩＶ）において、Ｒ５およびＲ６のいずれかがオクタデシルまたはオクタデセニル基であり、他方が水素原子である、請求項１２に記載の油類用添加剤。
【請求項１４】
式（Ｉ）においてｍおよびｎがともに２であり、ＡおよびＢが同一でエチレンまたはヘキシレンである請求項１３に記載の油類用添加剤。
【請求項１５】
式（Ｉ）で表されるエステルが、式（Ｉｂ）
【化５】
2008303384.tif 000005
で表されるエステルである請求項１に記載の油類用添加剤。
【請求項１６】
式（Ｉａ）
【化６】
2008303384.tif 000006
（式中、ＸおよびＹは同一または異なって、硫黄原子または単結合を表し、Ｗ及びＺは、下記式（ＩＶa）
【化７】
2008303384.tif 000007
（式中、Ｒ５およびＲ６のいずれかがオクタデシルまたはオクタデセニル基であり、他方が水素原子である）で表される基である）で表されるエステル化合物。
【請求項１７】
式（Ｉｂ）
【化８】
2008303384.tif 000008
で表されるエステル化合物。
【請求項１８】
請求項１〜１５のいずれかに記載の油類用添加剤と、潤滑油基油とを含有する潤滑油。
【請求項１９】
潤滑油基油が、鉱物油、ポリ−α−オレフィン、脂肪酸エステル、ポリアルキレングリコール、リン酸エステル、シリコーン、ケイ酸エステル、ポリフェニルエーテル、アルキルベンゼン、合成ナフテン、ガスツーリキッド（ＧＴＬ）および植物油からなる群より選ばれる少なくとも１種以上であることを特徴とする請求項１８に記載の潤滑油。
【手続補正２】
【補正対象書類名】明細書
【補正対象項目名】０００７
【補正方法】変更
【補正の内容】
【０００７】
本発明者らは鋭意検討した結果、窒素原子の導入されたエステルを油類用添加剤として使用することによって、上記課題を解決できることを見出し、本発明を完成させた。すなわち、本発明は、以下の（１）〜（１９）を提供する。
（１）式（Ｉ）
【手続補正３】
【補正対象書類名】明細書
【補正対象項目名】００２０
【補正方法】変更
【補正の内容】
【００２０】
（１３）式（ＩＶ）において、Ｒ５およびＲ６のいずれかがオクタデシルまたはオクタデセニル基であり、他方が水素原子である、（１２）に記載の油類用添加剤。
（１４）式（Ｉ）においてｍおよびｎがともに２であり、ＡおよびＢが同一でエチレンまたはヘキシレンである（１３）に記載の油類用添加剤。
（１５）式（Ｉ）で表されるエステルが、式（Ｉｂ）
【化１７】
2008303384.tif 000009
で表されるエステルである（１）に記載の油類用添加剤。
（１６）式（Ｉａ）
【化１８】
2008303384.tif 000010
（式中、ＸおよびＹは同一または異なって、硫黄原子または単結合を表し、Ｗ及びＺは、下記式（ＩＶa）
【化１９】
2008303384.tif 000011
（式中、Ｒ５およびＲ６のいずれかがオクタデシルまたはオクタデセニル基であり、他方が水素原子である）で表される基である）で表されるエステル化合物。
（１７）式（Ｉｂ）
【化２０】
2008303384.tif 000012
で表されるエステル化合物。
（１８）（１）〜（１５）のいずれかに記載の油類用添加剤と、潤滑油基油とを含有する潤滑油。
（１９）潤滑油基油が、鉱物油、ポリ−α−オレフィン、脂肪酸エステル、ポリアルキレングリコール、リン酸エステル、シリコーン、ケイ酸エステル、ポリフェニルエーテル、アルキルベンゼン、合成ナフテン、ガスツーリキッド（ＧＴＬ）または植物油である（１８）に記載の潤滑油。
【手続補正４】
【補正対象書類名】明細書
【補正対象項目名】００７１
【補正方法】変更
【補正の内容】
【００７１】
【化１６】
2008303384.tif 000013